(57)【要約】【課題】使用者の意思を反映した処理を行うことができる携帯端末装置を提供すること。【解決手段】ＬＣＤ表示部２１と、文字が対応付けられている複数のキーを含む操作部１１と、複数のキーに対して文字入力の操作が行われた場合、当該操作により入力された文字及び当該入力された文字に対応する変換候補をＬＣＤ表示部２１に表示させる制御部４５を備える。制御部４５は、入力された文字及び当該入力された文字に対応する変換候補とは異なるテキスト情報をＬＣＤ表示部２１に表示させた後に文字入力の操作が行われた場合、当該操作により入力された文字に対応する変換候補として、ＬＣＤ表示部２１に表示されているテキスト情報から抽出される文字列をＬＣＤ表示部２１に表示させる。【選択図】図２
2011209967.tif 000002
【特許請求の範囲】
【請求項１】
表示部と、
文字が対応付けられている複数のキーを含む操作部と、
前記複数のキーに対して文字入力の操作が行われた場合、当該操作により入力された文字及び当該入力された文字に対応する変換候補を前記表示部に表示させる制御部を備え、
前記制御部は、前記入力された文字及び当該入力された文字に対応する変換候補とは異なるテキスト情報を前記表示部に表示した後に前記文字入力の操作が行われた場合、当該操作により入力された文字に対応する変換候補として、前記テキスト情報から抽出される文字列を前記表示部に表示させる携帯端末装置。
【請求項２】
請求項１記載の携帯端末装置において、
通信部を備え、
前記テキスト情報は、前記通信部により受信した情報であって、
前記制御部は、前記通信部により受信した前記テキスト情報を前記表示部に表示させる携帯端末装置。
【請求項３】
請求項１記載の携帯端末装置において、
データが格納される不揮発性メモリと、
所定のデータを再生処理する再生部を備え、
前記テキスト情報は、前記再生部によって再生処理される、前記不揮発性メモリに格納されているデータが有するテキスト情報であって、
前記制御部は、前記再生部によって再生処理された前記テキスト情報を前記表示部に表示させる携帯端末装置。
【請求項４】
請求項１記載の携帯端末装置において、
前記制御部は、前記テキスト情報を取得した場合、当該テキスト情報を複数の単語に形態素解析して分析すると共に、単語ごとに読み仮名を生成し、生成した読み仮名に単語を対応付けて記憶しておき、前記文字入力の操作が行われた場合、当該操作により入力された文字を読み仮名として、その頭文字に対応する単語を読み出し、前記変換候補の一部として前記表示部に表示させる携帯端末装置。
【請求項５】
請求項４記載の携帯端末装置において、
前記制御部は、前記形態素解析による分析を、前記テキスト情報を前記表示部に表示させる前に行う携帯端末装置。
【請求項６】
請求項４又は５に記載の携帯端末装置において、
前記操作部は、仮名文字が割り当てられており、
前記制御部は、前記テキスト情報を複数の単語に形態素解析して分析する場合、形態素解析により得られた漢字に対して読み仮名を割り当て記憶しておき、前記操作部によって仮名文字の入力操作が行われた場合、当該仮名文字と、前記形態素解析により得られた漢字の読み仮名とが一致したときに、変換候補として当該漢字を前記表示部に表示させる携帯端末装置。
【請求項７】
請求項４から６のいずれか一項に記載の携帯端末装置において、
前記操作部は、前記複数のキーに対して、文字と数字が固有に割り当てられており、
前記制御部は、前記複数のキーのいずれかが操作された場合、当該操作されたキーに対応する文字及び数字を共に入力候補として受け付け、入力候補の文字及び数字のいずれかを筆頭とする単語が形態素解析された前記テキスト情報の複数の単語の中に含まれていれば、当該単語を前記変換候補に含めて前記表示部に表示させる携帯端末装置。
【請求項８】
請求項７記載の携帯端末装置において、
前記制御部は、前記複数のキーのいずれかが操作された場合、当該操作されたキーに対応する文字及び数字を共に入力候補として受け付け、当該受け付けた文字を前記表示部の第１表示領域に表示させ、当該受け付けた数字を前記表示部の第２表示領域に表示させ、前記変換候補を第３表示領域に表示させる携帯端末装置。
【請求項９】
請求項８記載の携帯端末装置において、
前記制御部は、前記第１表示領域に文字を表示させ、前記第２表示領域に数字を表示させている状態において、文字の変換の操作が行われた場合には、前記第１表示領域に表示させている文字の入力であると判定し、前記第１表示領域に表示させている文字に対して変換処理を行い、電話の発信の操作が行われた場合には、前記第２表示領域に表示させている数字の入力であると判定し、前記第２表示領域に表示させている数字を電話番号として発信処理を行う携帯端末装置。
【請求項１０】
請求項２記載の携帯端末装置において、
前記制御部は、前記通信部により前記テキスト情報を受信した場合、所定の機能を発揮するアプリケーションが動作する状態であっても、当該アプリケーションの動作状態を維持したまま、当該テキスト情報の表示を前記表示部の一部にさせる携帯端末装置。
【請求項１１】
請求項２記載の携帯端末装置において、
前記テキスト情報は、前記通信部を介してネットワーク側から不特定多数に配信される配信情報又は前記通信部によって受信した電子メールである携帯端末装置。
【請求項１２】
請求項２記載の携帯端末装置において、
前記制御部は、前記通信部により受信した前記テキスト情報が表示される状態で前記文字入力の操作が行われた場合、又は前記文字入力の操作を行っている最中に前記通信部により前記テキスト情報を受信して前記表示部に表示させる場合、当該操作により入力された文字に対応する変換候補として、前記表示部に表示されている前記テキスト情報から抽出される文字列を前記表示部に表示させる携帯端末装置。
【請求項１３】
請求項１から請求項１２のいずれか一項に記載の携帯端末装置において、
前記制御部は、前記表示部にテキスト情報を表示させている最中に、前記操作部による文字入力の操作を受け付けた場合、当該操作により入力された文字と当該テキスト情報を関連付けてキーワードを生成し、当該キーワードをクエリとして外部のサーバに対して検索を実行させる携帯端末装置。
【発明の詳細な説明】
【技術分野】
【０００１】
本発明は、表示部を有する携帯端末装置に関する。
【背景技術】
【０００２】
携帯電子機器は、各種の情報を表示する表示部と、複数のキーにより構成されている操作部を備えている。ここで、携帯電子機器では、着信を待ち受けるときやその他のアプリケーションの起動を待ち受けるときには、表示部に待受画面が表示される。この待受画面が表示されている状態において、数字が割り当てられている操作キーが押下されると、当該押下された操作キーに対応する数字を表示部に表示する。そして、携帯電子機器は、表示部に所定の数字列（例えば、「０３」で始まる１０桁の数字列）が表示されている状態において、オンフックキーが押下された場合には、入力されている数字列に基づいた電話発信処理を行う（例えば、特許文献１を参照）。
【先行技術文献】
【特許文献】
【０００３】
【特許文献１】特開平４−８６１４３号公報
【発明の概要】
【発明が解決しようとする課題】
【０００４】
ところで、待受画面の状態において、使用者が数字と文字とが割り当てられているキーを押下した場合に、キー操作の初期段階においては、使用者がどちらの記号を意識しながら操作しているか分からない。例えば、待受画面の状態において、数字の「０」とひらがなの「わ」がアサインされているキーを使用者が押下したときに、数字かひらがなの一方のみの記号を単に表示するような場合には、使用者が所望しない記号が表示されてしまう可能性がある。
【０００５】
そこで、使用者の入力操作に基づいて、使用者が所望する記号を表示することができ、使用者の意思を反映した処理を行うことができる携帯端末装置を提供することを目的とする。
【課題を解決するための手段】
【０００６】
本発明に係る携帯端末装置は、上記課題を解決するために、表示部と、文字が対応付けられている複数のキーを含む操作部と、前記複数のキーに対して文字入力の操作が行われた場合、当該操作により入力された文字及び当該入力された文字に対応する変換候補を前記表示部に表示させる制御部を備え、前記制御部は、前記入力された文字及び当該入力された文字に対応する変換候補とは異なるテキスト情報を前記表示部に表示した後に前記文字入力の操作が行われた場合、当該操作により入力された文字に対応する変換候補として、前記テキスト情報から抽出される文字列を前記表示部に表示させる構成である。
【０００７】
また、携帯端末装置では、通信部を備え、前記テキスト情報は、前記通信部により受信した情報であって、前記制御部は、前記通信部により受信した前記テキスト情報を前記表示部に表示させることが好ましい。
【０００８】
また、携帯端末装置では、データが格納される不揮発性メモリと、所定のデータを再生処理する再生部を備え、前記テキスト情報は、前記再生部によって再生処理される、前記不揮発性メモリに格納されているデータが有するテキスト情報であって、前記制御部は、前記再生部によって再生処理された前記テキスト情報を前記表示部に表示させることが好ましい。
【０００９】
また、携帯端末装置では、前記制御部は、前記テキスト情報を取得した場合、当該テキスト情報を複数の単語に形態素解析して分析すると共に、単語ごとに読み仮名を生成し、生成した読み仮名に単語を対応付けて記憶しておき、前記文字入力の操作が行われた場合、当該操作により入力された文字を読み仮名として、その頭文字に対応する単語を読み出し、前記変換候補の一部として前記表示部に表示させることが好ましい。
【００１０】
また、携帯端末装置では、前記制御部は、前記形態素解析による分析を、前記テキスト情報を前記表示部に表示させる前に行うことが好ましい。
【００１１】
また、携帯端末装置では、前記操作部は、仮名文字が割り当てられており、前記制御部は、前記テキスト情報を複数の単語に形態素解析して分析する場合、形態素解析により得られた漢字に対して読み仮名を割り当て記憶しておき、前記操作部によって仮名文字の入力操作が行われた場合、当該仮名文字と、前記形態素解析により得られた漢字の読み仮名とが一致したときに、変換候補として当該漢字を前記表示部に表示させることが好ましい。
【００１２】
また、携帯端末装置では、前記操作部は、前記複数のキーに対して、文字と数字が固有に割り当てられており、前記制御部は、前記複数のキーのいずれかが操作された場合、当該操作されたキーに対応する文字及び数字を共に入力候補として受け付け、入力候補の文字及び数字のいずれかを筆頭とする単語が形態素解析された前記テキスト情報の複数の単語の中に含まれていれば、当該単語を前記変換候補に含めて前記表示部に表示させることが好ましい。
【００１３】
また、携帯端末装置では、前記制御部は、前記複数のキーのいずれかが操作された場合、当該操作されたキーに対応する文字及び数字を共に入力候補として受け付け、当該受け付けた文字を前記表示部の第１表示領域に表示させ、当該受け付けた数字を前記表示部の第２表示領域に表示させ、前記変換候補を第３表示領域に表示させることが好ましい。
【００１４】
また、携帯端末装置では、前記制御部は、前記第１表示領域に文字を表示させ、前記第２表示領域に数字を表示させている状態において、文字の変換の操作が行われた場合には、前記第１表示領域に表示させている文字の入力であると判定し、前記第１表示領域に表示させている文字に対して変換処理を行い、電話の発信の操作が行われた場合には、前記第２表示領域に表示させている数字の入力であると判定し、前記第２表示領域に表示させている数字を電話番号として発信処理を行うことが好ましい。
【００１５】
また、携帯端末装置では、前記制御部は、前記通信部により前記テキスト情報を受信した場合、所定の機能を発揮するアプリケーションが動作する状態であっても、当該アプリケーションの動作状態を維持したまま、当該テキスト情報の表示を前記表示部の一部にさせることが好ましい。
【００１６】
また、携帯端末装置では、前記テキスト情報は、前記通信部を介してネットワーク側から不特定多数に配信される配信情報又は前記通信部によって受信した電子メールであることが好ましい。
【００１７】
また、携帯端末装置では、前記制御部は、前記通信部により受信した前記テキスト情報が表示される状態で前記文字入力の操作が行われた場合、又は前記文字入力の操作を行っている最中に前記通信部により前記テキスト情報を受信して前記表示部に表示させる場合、当該操作により入力された文字に対応する変換候補として、前記表示部に表示されている前記テキスト情報から抽出される文字列を前記表示部に表示させる。
【００１８】
また、携帯端末装置では、前記制御部は、前記表示部にテキスト情報を表示させている最中に、前記操作部による文字入力の操作を受け付けた場合、当該操作により入力された文字と当該テキスト情報を関連付けてキーワードを生成し、当該キーワードをクエリとして外部のサーバに対して検索を実行させることが好ましい。
【発明の効果】
【００１９】
本発明によれば、使用者の意思を反映した処理を行うことができる。
【図面の簡単な説明】
【００２０】
【図１】携帯電話装置の外観斜視図である。
【図２】携帯電話装置の機能を示す機能ブロック図である。
【図３】待受画面が表示されている状態からキー操作が行われることによって、第１種記号表示領域と第２種記号表示領域とが表示される様子についての説明に供する図である。
【図４】携帯電話装置が有する機能によって、表示部の画面が遷移する様子についての説明に供する図である。
【図５】制御部によるピクトインフォメーション領域にスクロール表示されているテキスト情報を取り込む場合の動作についての説明に供するフローチャートである。
【図６】携帯電話装置が有する機能によって、表示部の画面が遷移する様子についての説明に供する図である。
【図７】ピクトインフォメーション領域にスクロール表示されているテキスト情報から変換候補を取り込む処理についての説明に供する第１のフローチャートである。
【図８】ピクトインフォメーション領域にスクロール表示されているテキスト情報から変換候補を取り込む処理についての説明に供する第２のフローチャートである。
【図９】携帯電話装置が有する機能によって、表示部の画面が遷移する様子についての説明に供する図である。
【図１０】ピクトインフォメーション領域１０３にスクロール表示されているテキスト情報の一部を変換候補に取り込む場合の処理の流れについての説明に供するフローチャートである。
【図１１】携帯電話装置が有する機能によって、表示部の画面が遷移する様子についての説明に供する図である。
【図１２】インターネット検索する場合の処理の流れについての説明に供するフローチャートである。
【発明を実施するための形態】
【００２１】
以下、本発明の実施の形態について説明する。図１は、本発明に係る携帯端末装置の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ、フリップタイプ）でも良い。
【００２２】
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。
【００２３】
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力する第１のスピーカ２２と、音楽等を出力する第２のスピーカ２３を備えて構成されている。
【００２４】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２５】
また、図２は、携帯電話装置１の機能を示す機能ブロック図である。携帯電話装置１は、図２に示すように、操作部１１と、マイク１２と、メインアンテナ４０と、ＲＦ回路部４１と、ＬＣＤ制御部４２と、音声処理部４３と、メモリ４４と、制御部４５と、再生部４６が操作部側筐体部２に備えられ、ＬＣＤ表示部２１（表示部）と、第１のスピーカ２２と、第２のスピーカ２３と、ドライバＩＣ２４とが表示部側筐体部３に備えられている。
【００２６】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であっても良い。また、メインアンテナ４０は、第１の使用周波数帯で外部装置と通信を行い、ＧＰＳ通信のための第２の使用周波数帯に対応できるアンテナを別途設けても良い。
【００２７】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置（基地局）に送信する。また、その一方で、メインアンテナ４０によって受信している信号の強度を制御部４５に通知する。また、メインアンテナ４０とＲＦ回路部４１を総括して、通信部５０という。
【００２８】
ＬＣＤ制御部４２は、制御部４５の制御にしたがって、所定の画像処理を行い、処理後の画像データをドライバＩＣ２４に出力する。ドライバＩＣ２４は、ＬＣＤ制御部４２から供給された画像データをフレームメモリに蓄え、所定のタイミングでＬＣＤ表示部２１に出力する。
音声処理部４３は、制御部４５の制御にしたがって、ＲＦ回路部４１から供給された信号に対して所定の音声処理を行い、処理後の信号を第１のスピーカ２２に出力する。第１のスピーカ２２は、音声処理部４３から供給された信号を外部に出力する。
【００２９】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００３０】
メモリ４４は、例えば、ワーキングメモリを含み、制御部４５による演算処理に利用される。また、メモリ４４には、複数のアプリケーションや当該アプリケーションが必要とする各種のテーブルや、音楽データや、映画データ等が記憶されている。また、メモリ４４は、着脱可能な外部メモリを兼ねていても良い。
【００３１】
再生部４６は、例えば、メモリ４４に格納されている映画データに対して再生処理を行い、同期をとって、再生処理後の映像信号をＬＣＤ制御部４２に供給し、音声信号を第２のスピーカ２３に供給する。
【００３２】
制御部４５は、携帯電話装置１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４、決定操作キー１５）に割り当てる記号や機能を変化させる。
【００３３】
また、メモリ４４には、複数のキーアサインテーブルが格納されており、制御部４５は、起動されているアプリケーションに応じて、参照するキーアサインテーブルを切り替え、操作部１１から送信されてくるキーの位置情報に基づいて所定のキーアサインテーブルを参照し、所定の処理を実行する。
【００３４】
また、携帯電話装置１では、通信の待ち受け状態（待受画面が表示されている状態）において、キー操作が行われた場合に、当該キーに割り当てられている複数の記号（例えば、数字や文字）のそれぞれを、例えば、別々の画面領域に並列的に表示する機能を有している。ここで、待受画面が表示されている状態とは、主電源が投入され、通信セッションの確立処理が終了し、通信の待ち受けや、メールアプリケーション等の起動が可能になっている状態をいう。
【００３５】
例えば、制御部４５は、待受画面１００が表示されている状態において（図３（ａ））、入力操作キー１４の第２行左列のキー（数字の「１」等が印刷されているキー）が２回押下され、その後、入力操作キー１４の第３行左列のキー（数字の「４」等が印刷されているキー）が１回押下され、当該押下に応じてキーの位置情報が入力された場合、メモリ４４に格納されている文字のキーアサインテーブルを参照して第１表示領域１０１に文字列「いた」を表示し、かつ、メモリ４４に格納されている数字のキーアサインテーブルを参照して第２表示領域１０２に数字列「１１４」を表示させる（図３（ｂ））。
【００３６】
また、制御部４５は、第１表示領域１０１に「いた」を表示し、第２表示領域１０２に「１１４」を表示している状態において、変換機能が操作された場合（例えば、決定操作キー１５の上下キーが操作された場合）、第１表示領域１０１に表示されている「いた」に対して変換処理を行う。また、制御部４５は、第１表示領域１０１に「いた」を表示し、第２表示領域１０２に「１１４」を表示している状態において、発信の操作がされた場合（例えば、入力操作キー１４のオンフックボタンが選択された場合）、第２表示領域１０２に表示されている「１１４」を電話番号として発信処理を行う。
【００３７】
また、ＬＣＤ表示部２１には、図３に示すように、電池の残量や現在時刻等の情報を表示する領域（以下、ピクトインフォメーション領域１０３という。）が配置されている。制御部４５は、ピクトインフォメーション領域１０３に電池の残量や現在時刻以外の情報をスクロール表示させることができる。
【００３８】
このように構成される携帯電話装置１は、キー操作に応じて複数の記号のそれぞれを、別々の画面領域に並列的に表示する機能と、ピクトインフォメーション領域１０３に表示される情報とを連携させて、使用者の意思を反映した処理を行う機能を有している。
【００３９】
ここで、上述した機能を発揮するための制御部４５の動作について詳細に説明する。携帯電話装置１は、上述したように、ＬＣＤ表示部２１と、操作部１１と、制御部４５を備える。
【００４０】
制御部４５は、操作部１１の複数のキーに対して文字入力の操作が行われた場合、当該操作により入力された文字及び当該入力された文字に対応する変換候補をＬＣＤ表示部２１に表示させる。
【００４１】
また、制御部４５は、入力された文字及び当該入力された文字に対応する変換候補とは異なるテキスト情報をＬＣＤ表示部２１に表示した後に文字入力の操作が行われた場合、当該操作により入力された文字に対応する変換候補として、ＬＣＤ表示部２１に表示されているテキスト情報から抽出される文字列をＬＣＤ表示部２１に表示させる。
【００４２】
具体的には、制御部４５は、ピクトインフォメーション領域１０３にテキスト情報がスクロール表示されているときに（例えば、「今日の関東地方の天気は晴れ」等）、操作部１１による文字入力の操作が行われた場合（例えば、「き」の入力操作）、「き」の変換候補として、テキスト情報から抽出される文字列（例えば、「今日」）をＬＣＤ表示部２１に表示させる。したがって、使用者は、ピクトインフォメーション領域１０３に表示されている文字列を全文入力しなくても、変換候補から選択するだけで、所望する文字列を入力することができる。
【００４３】
なお、テキスト情報がスクロール表示されているときの態様について上述したものの、これに限らず、制御部４５は、例えば、スクロール表示が既に終わったテキスト情報から文字列を抽出しても良い。
【００４４】
このようにして、携帯電話装置１は、スクロール表示されている文字列の中から所定の文字列が抽出され、当該文字列が変換候補に挿入されるので、ピクトインフォメーション領域１０３にスクロール表示される文字列を見ながら、文字入力を行って、文章の作成を行う使用者に対し、効率的な入力補助を提供することができる。
【００４５】
また、テキスト情報は、通信部５０により受信した情報であることが好ましい。このような構成の場合、制御部４５は、通信部５０により受信したテキスト情報をＬＣＤ表示部２１に表示させる。
【００４６】
このようにして、携帯電話装置１は、スクロール表示されている文字列の中から所定の文字列が抽出され、当該文字列が変換候補に挿入されるので、ピクトインフォメーション領域１０３にスクロール表示される文字列（ニュース等）を見ながら、文字入力を行って、文章の作成を行う使用者に対し、効率的な入力補助を提供することができる。
【００４７】
また、携帯電話装置１は、図２に示すように、メモリ４４（不揮発性メモリ）と、再生部４６を備える。ここで、テキスト情報は、再生部４６によって再生処理される、メモリ４４に格納されているデータが有するテキスト情報である。また、制御部４５は、再生部４６によって再生処理されたテキスト情報をピクトインフォメーション領域１０３にスクロール表示させる。
【００４８】
例えば、再生部４６は、メモリ４４に格納されている映画データに対して再生処理を行い、再生処理後の映像をＬＣＤ表示部２１に表示させる。制御部４５は、再生部４６によって再生処理された映像に、字幕情報が含まれている場合には、字幕情報をテキスト情報として、ピクトインフォメーション領域１０３にスクロール表示させる。
【００４９】
このようにして、携帯電話装置１は、スクロール表示されている字幕情報の中から所定の文字列が抽出され、当該文字列が変換候補に挿入されるので、ピクトインフォメーション領域１０３にスクロール表示される字幕情報を見ながら、文字入力を行って、文章の作成を行う使用者に対し、効率的な入力補助を提供することができる。
【００５０】
また、制御部４５は、テキスト情報を取得した場合、当該テキスト情報を複数の単語に形態素解析して分析すると共に、単語ごとに読み仮名を生成し、生成した読み仮名に単語を対応付けて記憶しておき、文字入力の操作が行われた場合、当該操作により入力された文字を読み仮名として、その頭文字に対応する単語を読み出し、変換候補の一部としてＬＣＤ表示部２１に表示させることが好ましい。
【００５１】
このようにして、携帯電話装置１は、ピクトインフォメーション領域１０３にスクロール表示されるテキスト情報を形態素解析によって、単語ごとに読み仮名を生成し、それぞれを対応付けて記憶しておくので、ピクトインフォメーション領域１０３にテキスト情報をスクロール表示されている状態において、文字入力を行って、文章の作成を行う使用者に対し、効率的な入力補助を提供することができる。
【００５２】
制御部４５は、形態素解析による分析を、テキスト情報をＬＣＤ表示部２１に表示させる前に行うことが好ましい。
したがって、制御部４５は、テキスト情報を受信し、ピクトインフォメーション領域１０３にスクロール表示させる前に、形態素解析を行うので、ピクトインフォメーション領域１０３にスクロール表示されているテキスト情報を見ながら文章が作成される際に、テキスト情報に含まれている文字列を確実に変換候補に反映させることができる。
【００５３】
また、上述したように操作部１１には、仮名文字が割り当てられている（厳密に言えば、仮名文字のアサインテーブルを参照することにより、キーに対して仮名文字を割り当てる）。
【００５４】
このように構成されることによって、制御部４５は、テキスト情報を複数の単語に形態素解析して分析する場合、形態素解析により得られた漢字に対して読み仮名を割り当てて記憶しておき、操作部１１によって仮名文字の入力操作が行われた場合、当該仮名文字と、形態素解析により得られた漢字の読み仮名とが一致したときに、変換候補として当該漢字をＬＣＤ表示部２１に表示させる構成が好ましい。
【００５５】
したがって、制御部４５は、テキスト情報に対して形態素解析を行い、形態素解析により得られた漢字に対して読み仮名を割り当てて記憶し、操作部１１によって仮名文字の入力操作が行われた場合、当該仮名文字と、形態素解析により得られた漢字の読み仮名とが一致したときに、変換候補として当該漢字をＬＣＤ表示部２１に表示させるので、ピクトインフォメーション領域１０３のテキスト情報を参照しながら文章を作成する際に、所望される漢字を変換候補に含ませることができる。
【００５６】
よって、携帯電話装置１は、ピクトインフォメーション領域１０３にテキスト情報をスクロール表示されている状態において、文字入力を行って、文章の作成を行う使用者に対し、効率的な入力補助を提供することができる。
【００５７】
また、上述したように、操作部１１は、複数のキーに対して、文字と数字が固有に割り当てられている。制御部４５は、複数のキーのいずれかが操作された場合、当該操作されたキーに対応する文字及び数字を共に入力候補として受け付け、入力候補の文字及び数字のいずれかを筆頭とする単語が形態素解析されたテキスト情報の複数の単語の中に含まれていれば、当該単語を変換候補に含めてＬＣＤ表示部２１に表示させる構成が好ましい。
【００５８】
例えば、制御部４５は、ピクトインフォメーション領域１０３に「佐藤さん４月に結婚」というテキスト情報がスクロール表示されている場合、「４月」に対して「しがつ」と「４」を対応付けておくので、操作部１１により数字の「３」と平仮名の「さ」が印刷されているキーが２回押下された場合には、第１表示領域１０１には「し」が表示させ、その変換候補には「４月」を筆頭に他の候補が表示させ、第２表示領域１０２には「３３」と表示させる。
【００５９】
また、制御部４５は、操作部１１により数字の「４」と平仮名の「た」が印刷されているキーが１回押下された場合には、第１表示領域１０１には「た」が表示させ、その変換候補には通常の候補（例えば、「ただ」や「第」等）が表示させ、第２表示領域１０２には「４」が表示させ、その変換候補には「４月」を筆頭に他の候補が表示させる。
このようにして、携帯電話装置１は、ピクトインフォメーション領域１０３にテキスト情報をスクロール表示されている状態において、操作部１１による入力の操作が行われた場合、当該操作に応じた文字と数字の双方について変換候補を表示するので、文章の作成を行う使用者に対して、効率的な入力補助を提供することができる。
【００６０】
また、制御部４５は、複数のキーのいずれかが操作された場合、当該操作されたキーに対応する文字及び数字を共に入力候補として受け付け、当該受け付けた文字をＬＣＤ表示部２１の第１表示領域１０１に表示させ、当該受け付けた数字をＬＣＤ表示部２１の第２表示領域１０２に表示させ、変換候補を所定の位置に表示させる構成が好ましい（図３（ｂ）を参照）。
【００６１】
このように構成されることにより、携帯電話装置１は、使用者の入力操作に基づいて、文字と数字の双方を区分けして表示し、かつ、文字に対する変換候補も表示するので、使用者の意思を反映した処理を行うことができる。
【００６２】
また、制御部４５は、第１表示領域１０１に文字を表示させ、第２表示領域１０２に数字を表示させている状態において、文字の変換の操作が行われた場合（例えば、決定操作キー１５の上下キーが操作された場合）には、第１表示領域１０１に表示させている文字の入力であると判定して、第１表示領域１０１に表示させている文字に対して変換処理を行う。また、制御部４５は、電話の発信の操作が行われた場合（例えば、入力操作キー１４のオンフックボタンが選択された場合）には、第２表示領域１０２に表示させている数字の入力であると判定して、第２表示領域１０２に表示させている数字を電話番号として発信処理を行う構成が好ましい。
【００６３】
このように構成されることにより、携帯電話装置１は、使用者の入力操作に基づいて、文字と数字の双方を区分けして表示し、入力されている文字又は数字に対する使用者による明確な操作にしたがって、文字の変換処理又は発呼処理を行うので、使用者の意思を反映した処理を行うことができる。
【００６４】
制御部４５は、通信部５０によりテキスト情報を受信した場合、所定の機能を発揮するアプリケーションが動作する状態であっても、当該アプリケーションの動作状態を維持したまま、当該テキスト情報の表示をＬＣＤ表示部２１の一部（例えば、ピクトインフォメーション領域１０３）にさせる構成が好ましい。
【００６５】
したがって、携帯電話装置１は、例えば、カレンダーアプリケーションやテレビ視聴用のアプリケーションが起動している最中でも、ピクトインフォメーション領域１０３にスクロール表示されているテキスト情報を見ながら、文字入力を行って、文章の作成を行う使用者に対し、効率的な入力補助を提供することができる。
【００６６】
また、テキスト情報は、通信部５０を介してネットワーク側から不特定多数に配信される配信情報（例えば、後述するＢＣＭＣＳによる配信情報）又は通信部５０によって受信した電子メールである構成が好ましい。
【００６７】
ここで、携帯電話装置１は、基地局を介してサーバから情報が配信されるシステムを採用されている。この配信システムには、１（サーバ）対１（携帯電話装置）の配信を行うユニキャスト（ｕｎｉｃａｓｔ）配信や、１（サーバ）対多数（複数の携帯電話装置）により配信を行うマルチキャスト（ｍｕｌｔｉｃａｓｔ）配信（以下、ＭＣ配信という。）及びブロードキャスト（Ｂｒｏａｄｃａｓｔ）配信等がある。
【００６８】
ここで、マルチキャスト配信は、所定のグループ又は所定のエリアに属する携帯端末装置に対して、所定の時間ごとに所定の情報を一斉配信するものであり、また、ブロードキャスト配信は、不特定多数の携帯端末装置に対して、所定の時間ごとに所定の情報を一斉配信するものである。
【００６９】
また、このような技術を使って行なうサービスのことをＢＣＭＣＳ（Ｂｒｏａｄｃａｓｔ／Ｍｕｌｔｉｃａｓｔ  Ｓｅｒｖｉｃｅｓ）と呼ぶ。
携帯電話装置１は、ピクトインフォメーション領域１０３にスクロール表示されるＢＣＭＣＳにより配信されるテキスト情報を見ながら、文字入力を行って、文章の作成を行う使用者に対し、効率的な入力補助を提供することができる。
【００７０】
また、携帯電話装置１は、メールを受信した際に、例えば、送信者名と、件名と、メール本文に記載されている最初の１０文字をピクトインフォメーション領域１０３にスクロール表示するので、使用者がメールアプリケーションを起動して、受信したメールを確認することなく、メールのダイジェスト版として凡その内容を使用者に把握させることができる。
【００７１】
したがって、携帯電話装置１は、ピクトインフォメーション領域１０３にスクロール表示されるメールのダイジェスト版を見ながら、文字入力を行って、文章の作成を行う使用者に対し、効率的な入力補助を提供することができる。
【００７２】
また、制御部４５は、通信部５０により受信したテキスト情報が表示される状態で文字入力の操作が行われた場合、又は文字入力の操作を行っている最中に通信部５０によりテキスト情報を受信してＬＣＤ表示部２１に表示させる場合、どちらにおいても、当該操作により入力された文字に対応する変換候補として、ＬＣＤ表示部２１に表示されているテキスト情報から抽出される文字列をＬＣＤ表示部２１に表示させる構成が好ましい。
【００７３】
よって、携帯電話装置１は、ピクトインフォメーション領域１０３にテキスト情報がスクロール表示されてから文字入力を始めた場合のみならず、文字入力を行っている最中にピクトインフォメーション領域１０３にテキスト情報が表示された場合においても、変換候補に当該テキスト情報から抽出された文字情報が表示されるので、文章の作成を行う使用者に対し、効率的な入力補助を提供することができる。
【００７４】
また、制御部４５は、ＬＣＤ表示部２１にテキスト情報を表示させている最中に、操作部１１による文字入力の操作を受け付けた場合、当該操作により入力された文字と当該テキスト情報を関連付けてキーワードを生成し、当該キーワードを用いて外部のサーバに対して検索を実行させる構成が好ましい。
【００７５】
よって、携帯電話装置１は、ピクトインフォメーション領域１０３にスクロール表示されているテキスト情報と、使用者が入力した文字を関連付けてキーワードを生成し、当該キーワードをクエリとしてインターネット等に接続して、検索を実行するので、文字の入力を簡略化しつつ、インターネット検索を行う使用者に対して、効率的な入力補助を提供することができる。
【００７６】
＜第１の実施例＞
つぎに、携帯電話装置１の制御部４５による具体的な動作について説明する。
制御部４５は、待受画面１００の表示中であって（図４（ａ））、ピクトインフォメーション領域１０３に所定のテキスト情報（例えば、「入団が決定した１２０人のうち、キャンプ１軍スタートは１４人だった。・・・」）がスクロール表示されている場合において（図４（ｂ））、操作部１１の所定のキー（例えば、「８」と「や」が印刷されているキー）が操作された場合、当該操作されたキーに対応する文字を表示し、編集する機能を有するアプリケーション（以下、エディタアプリという。）を起動する。なお、エディタアプリは、表示領域が、文字が表示される第１表示領域１０１と、数字が表示される第２表示領域１０２から構成されているものとする。また、制御部４５は、エディタアプリの起動後も、ピクトインフォメーション領域１０３に所定のテキスト情報をスクロール表示を継続するものとする。
【００７７】
制御部４５は、エディタアプリの表示領域に、ピクトインフォメーション領域１０３にスクロール表示されている所定のテキスト情報を全文取り込み、取り込んだ所定のテキスト情報の全文と、操作されたキーに対応する文字（本実施例の場合には、「や」）を第１表示領域１０１に表示し、操作されたキーに対応する数字（本実施例の場合には、「８」）を第２表示領域１０２に表示させる（図４（ｃ））。
【００７８】
このようにして、携帯電話装置１は、使用者の入力負担を軽減して、ピクトインフォメーション領域１０３にスクロール表示されているテキスト情報に関連した文章の作成を可能とする。
【００７９】
なお、ピクトインフォメーション領域１０３にスクロール表示されているテキスト情報に著作権の制限がかけられている場合には、制御部４５は、テキスト情報の全文の取り込みではなく、当該テキスト情報に付加されているソース情報（例えば、ＵＲＬ）を取り込んで、当該ソース情報を表示させる構成でも良い（図４（ｄ））。
【００８０】
また、制御部４５は、ピクトインフォメーション領域１０３にスクロール表示されているテキスト情報の全文と、その付随情報（例えば、広告情報）を取り込んで、第１表示領域１０１に表示させる構成でも良い。
【００８１】
つぎに、制御部４５によるピクトインフォメーション領域１０３にスクロール表示されているテキスト情報を取り込む場合の動作について、図５のフローチャートを参照して説明する。
【００８２】
ステップＳＴ１において、制御部４５は、通信部５０を介してピクトインフォメーションデータ（テキスト情報を意味している）の受信を検知する。
【００８３】
ステップＳＴ２において、制御部４５は、検知したピクトインフォメーションデータをメモリ４４に記憶させる。
【００８４】
ステップＳＴ３において、制御部４５は、ピクトインフォメーションデータをテキスト情報として、ピクトインフォメーション領域１０３にスクロール表示させる。
【００８５】
ステップＳＴ４において、制御部４５は、操作部１１を構成するキーの入力操作を検知した場合、所定の処理を行う。具体的には、制御部４５は、操作されたキーを特定し、特定したキーに割り当てられている文字及び数字を読み出す。
【００８６】
ステップＳＴ５において、制御部４５は、文字入力と数字入力を受け付けるエディタアプリを起動する。
【００８７】
ステップＳＴ６において、制御部４５は、ステップＳＴ２の工程によりメモリ４４に記憶したピクトインフォメーションデータを読み出し、ステップＳＴ５の工程により起動したエディタアプリのバッファへ取り込む処理を行う。ここで、エディタアプリのバッファへ取り込む処理を行うことによって、第１表示領域１０１にテキスト情報が表示されることになる。
【００８８】
なお、本実施例においては、ピクトインフォメーション領域１０３と第１表示領域１０１とが同時に表示可能な態様について示したが、これに限られず、例えば、第１表示領域１０１が表示される際には、ピクトインフォメーション領域１０３は表示されない構成であっても良い。
【００８９】
＜第２の実施例＞
つぎに、制御部４５による第２の実施例について説明する。
制御部４５は、待受画面１００の表示中であって（図６（ａ））、ピクトインフォメーション領域１０３に所定のテキスト情報（例えば、「東京８Ｒ  古馬１０００万・・・」）がスクロール表示されている場合において（図６（ｂ））、操作部１１の所定のキーが操作された場合（例えば、複数のキーが操作され、文字に変換すると「こばくん」であり、数字に変換すると「２２２２２６＊２２２０００」である）が操作された場合、エディタアプリを起動し、第１表示領域１０１に「こばくん」を表示し、第２表示領域１０２に「２２２２２６＊２２２０００」を表示させる（図６（ｃ））。
【００９０】
制御部４５は、ピクトインフォメーション領域１０３にテキスト情報をスクロール表示中に、エディタアプリが起動した場合、テキスト情報に対して、形態素解析を行い、その結果を変換候補に反映する。本実施例では、制御部４５は、形態素解析によって仮名文字「こば」に対して漢字「古馬」を抽出するので、第３表示領域１０４に「古馬」を他の候補に対して優先表示させる（図６（ｃ））。
【００９１】
つぎに、ピクトインフォメーション領域１０３にスクロール表示されるテキスト情報が複数ある場合の実施例について説明する。なお、以下では、一つ目のテキスト情報（例えば、「・・・ース・・・」）の後に二つ目のテキスト情報（例えば、「木場騎手落馬・・・」）がスクロール表示され、かつ、二つ目のピクトインフォメーションに新たな変換候補（仮名文字「こば」に対して漢字「木場」）が含まれる場合を想定して説明を行う。
【００９２】
制御部４５は、選択中の変換候補（本実施例では、図６（ｄ）中の「古馬」）以外は二つ目のテキスト情報の全文から変換候補を取り込む処理（以下、第１の処理という）を行うか、又は、選択中の変換が確定後、二つ目のテキスト情報から次の変換に対する変換候補を取り込む処理（以下、第２の処理という。）を行う。
【００９３】
第１の処理の場合、制御部４５は、図６（ｅ）に示すように、二つ目のテキスト情報に合わせて変換候補の順位を入れ替える処理を行う（本実施例では、「木庭」と「木場」を入れ替える）。
【００９４】
また、第２の処理の場合、制御部４５は、図６（ｆ）に示すように、二つ目のテキスト情報に合わせて変換候補が表示される第３表示領域１０４の枠部分（以下、変換候補ボックスという）を点滅等させる。そして、制御部４５は、変換候補が確定された場合に、変換候補の内容を二つ目のテキスト情報の内容に入れ替える処理を行う（本実施例では、二つ目のテキスト情報に合わせて「木場」が優先的に表示される）。
【００９５】
つぎに、ピクトインフォメーション領域１０３にスクロール表示されているテキスト情報から変換候補を取り込む処理について、図７及び図８に示すフローチャートを参照して説明する。
【００９６】
ステップＳＴ１１において、制御部４５は、通信部５０を介してピクトインフォメーションデータ（テキスト情報を意味している）の受信を検知する。
【００９７】
ステップＳＴ１２において、制御部４５は、検知したピクトインフォメーションデータをメモリ４４に記憶させる。
【００９８】
ステップＳＴ１３において、制御部４５は、ピクトインフォメーションデータをテキスト情報として、ピクトインフォメーション領域１０３にスクロール表示させる。
【００９９】
ステップＳＴ１４において、制御部４５は、操作部１１を構成するキーの入力操作を検知した場合、所定の処理を行う。具体的には、制御部４５は、操作されたキーを特定し、特定したキーに割り当てられている文字及び数字を読み出す。
【０１００】
ステップＳＴ１５において、制御部４５は、文字入力と数字入力を受け付けるエディタアプリを起動する。
【０１０１】
ステップＳＴ１６において、制御部４５は、操作部１１の操作に応じて、文字入力処理を検知し、ステップＳＴ１７に進む。なお、実際には、ステップＳＴ１４の工程により、操作部１１を構成するキーの入力操作を検知し、当該キーに文字が割り当てられている場合には、これを文字入力処理と判断しても良い。また、図示しないが、文字入力処理を検知しない場合には、文字入力処理を検知するまで、ステップＳＴ１６の工程を繰り返す。
【０１０２】
ステップＳＴ１７において、制御部４５は、操作部１１の操作に応じて、文字変換処理を検知し、ステップＳＴ１８に進む。本工程では、制御部４５は、入力された文字に変換候補が関連付けられているかどうかを判断し、変換候補が関連付けられていれば、文字変換処理を検知したと判断する。また、図示しないが、文字変換処理を検知しない場合には、文字変換処理を検知するまで、ステップＳＴ１７の工程を繰り返す。
【０１０３】
ステップＳＴ１８において、制御部４５は、ステップＳＴ１２の工程によりメモリ４４に記憶したピクトインフォメーションデータに対して、例えば、形態素解析して分析を行う。
【０１０４】
ステップＳＴ１９において、制御部４５は、ステップＳＴ１８の工程による形態素解析による分析結果から、ピクト印フォーメーションデータを変換候補に反映するかどうかを判断する。変換候補に反映すると判断した場合（Ｙｅｓ）には、ステップＳＴ２０に進み、変換候補に反映しないと判断した場合（Ｎｏ）には、処理を終了する。例えば、制御部４５は、形態素解析による分析結果から、ピクトインフォメーションデータが半角の英数字のみの場合には、変換候補に反映しないと判断する。
【０１０５】
ステップＳＴ２０において、制御部４５は、変換候補の書き換え処理を行う。具体的には、制御部４５は、ステップＳＴ１８の工程による形態素解析の結果から得られた変換候補を他の変換候補よりも優先して表示させるように、変換候補の書き換え処理を行う。
【０１０６】
ステップＳＴ２１において、制御部４５は、第３表示領域１０４に変換候補を表示させる。その後、制御部４５は、二つ目のテキスト情報がスクロール表示される場合には、ステップＳＴ２２の工程に進む。以下では、二つ目のテキスト情報を第２のピクトインフォメーションという。
【０１０７】
ステップＳＴ２２において、制御部４５は、図８に示すように、第２のピクトインフォメーションをピクトインフォメーション領域１０３にスクロール表示させる処理を行う。なお、このとき、制御部４５は、第２のピクトインフォメーションデータをメモリ４４に記憶する。
【０１０８】
ステップＳＴ２３において、制御部４５は、ステップＳＴ１７、ステップＳＴ１８及びステップＳＴ１９と同様の処理を実行し、メモリ４４に記憶した第２のピクトインフォメーションデータに対して、形態素解析して分析を行い、分析結果から、変換候補に反映するかどうかを判断する。変換候補に反映すると判断した場合（Ｙｅｓ）には、ステップＳＴ２４に進み、変換候補に反映しないと判断した場合（Ｎｏ）には、処理を終了する。
【０１０９】
ステップＳＴ２４において、制御部４５は、変換候補に反映するタイミングとして、後処理時であるかどうかを判断する。後処理時であると判断した場合（Ｙｅｓ）には、ステップＳＴ２６に進み、後処理時でないと判断した場合（Ｎｏ）には、ステップＳＴ２５に進む。なお、「後処理」とは、所定の文字入力の確定後、その文字に対する処理のことを意味している。例えば、入力された文字の「変換」後、当該入力された文字をどのように次回の変換候補に反映させるかを決定するための処理が「後処理」に該当する。
【０１１０】
なお、本工程以降では、第１ピクトインフォメーションの内容に更新されている変換候補を、どの時点（タイミング）で、第２ピクトインフォメーションの内容に変更するのかについて説明している。
【０１１１】
ステップＳＴ２５において、制御部４５は、変換候補の書き換え処理を行う。具体的には、制御部４５は、ステップＳＴ２３の工程による形態素解析の結果から得られた変換候補を他の変換候補よりも優先して表示させるように、変換候補の書き換え処理を行う。
【０１１２】
ステップＳＴ２６において、制御部４５は、第２ピクトインフォメーションの内容に変換候補を変更するタイミングとして、現在の変換確定後に行うかどうかを判断する。変換確定後に行う場合（Ｙｅｓ）には、ステップＳＴ２７に進み、変換確定後に行わない場合（Ｎｏ）には、ステップＳＴ３１に進む。
【０１１３】
ステップＳＴ２７において、制御部４５は、第１表示領域１０１に表示されている未確定の文字に対して、確定の処理を行う。
【０１１４】
ステップＳＴ２８において、制御部４５は、ステップＳＴ２３の工程による形態素解析の結果から得られた変換候補を取り込む処理を行う。
【０１１５】
ステップＳＴ２９において、制御部４５は、変換候補の書き換え処理を行う。具体的には、制御部４５は、第２ピクトインフォメーションデータに対して形態素解析を行って得られた変換候補を他の変換候補よりも優先して表示させるように、変換候補の書き換え処理を行う。
【０１１６】
ステップＳＴ３０において、制御部４５は、ステップＳＴ２９の工程で書き換え処理を行った変換候補を第３表示領域１０４に表示させる処理を行う。
【０１１７】
また、ステップＳＴ３１において、制御部４５は、第２ピクトインフォメーションの内容に変換候補を変更するタイミングとして、使用者が指定するかどうかを判断する。使用者が指定する場合（Ｙｅｓ）には、ステップＳＴ３２に進み、使用者が指定しない場合（Ｎｏ）には、ステップＳＴ２５に進む。
【０１１８】
ステップＳＴ３２において、制御部４５は、第３表示領域１０４に表示されている変換候補ボックスの表示形式を変更（例えば、点滅等）する。
【０１１９】
ステップＳＴ３３において、制御部４５は、使用者の選択操作を検知したかどうかを判断する。使用者の選択操作を検知したと判断した場合（Ｙｅｓ）には、ステップＳＴ２９に進み、使用者の選択操作を検知しなかったと判断した場合（Ｎｏ）には、ステップＳＴ３３の工程を一定条件下に繰り返す。
【０１２０】
＜第３の実施例＞
つぎに、制御部４５による第３の実施例について説明する。第３の実施例では、ピクトインフォメーション領域１０３にスクロール表示されているテキスト情報の一部を変換候補に取り込む場合の処理について説明する。
【０１２１】
制御部４５は、エディタアプリを起動し、文章を作成中において（例えば、「大変だよ、・・・」）、ピクトインフォメーション領域１０３に所定のテキスト情報（例えば、「・・・木場騎手落馬事故  東京８・・・」）がスクロール表示されているときに（図９（ａ））、決定操作キー１５の下方向を選択するキーが操作された場合には、作成中の文書の続きに、テキスト情報の色変更部分の文字列（図９（ｂ）に示す実施例では、「木場選手」）が抽出されて挿入される。
【０１２２】
また、制御部４５は、エディタアプリを起動し、文章を作成中において（例えば、「大変だよ、・・・」）、ピクトインフォメーション領域１０３に所定のテキスト情報（例えば、「・・・木場騎手落馬事故  東京８・・・」）がスクロール表示されているときに（図９（ａ））、決定操作キー１５の右方向を選択するキーが操作された場合には、テキスト情報の色変更部分を変更する（図９（ｃ））。なお、図９（ｃ）に示す実施例では、制御部４５は、色変更部分を「木場騎手」から「木場騎手落馬事故」に変更する。
【０１２３】
そして、制御部４５は、決定操作キー１５の下方向を選択するキーが操作された場合には、作成中の文書の続きに、テキスト情報の色変更部分の文字列（図９（ｄ）に示す実施例では、「木場選手落馬事故」）が抽出されて挿入される。
【０１２４】
ここで、上述したピクトインフォメーション領域１０３にスクロール表示されているテキスト情報の一部を変換候補に取り込む場合の処理の流れについて、図１０に示すフローチャートを参照して説明する。
ステップＳＴ４１において、制御部４５は、操作部１１を構成するキーの入力操作を検知した場合、エディタアプリを起動するための処理を行う。
【０１２５】
ステップＳＴ４２において、制御部４５は、ピクトインフォメーションデータの取り込み処理を行う。
【０１２６】
ステップＳＴ４３において、制御部４５は、ピクトインフォメーションデータに対して、単語分割処理（例えば、形態素解析による分析処理）を行う。
【０１２７】
ステップＳＴ４４において、制御部４５は、ピクトインフォメーションデータの表示処理を行う。具体的には、制御部４５は、ピクトインフォメーションデータをピクトインフォメーション領域１０３にスクロール表示を行う。
【０１２８】
ステップＳＴ４５において、制御部４５は、ピクトインフォメーションデータ内の特定語句の表示形式に対して変更処理を行う。具体的には、制御部４５は、ピクトインフォメーションデータの内容が「木場騎手落馬事故・・・」の場合には、「木場騎手」を特定語句として、「落馬事故・・・」とは異なる表示形式に変更する処理を行う（例えば、反転する処理を行ったり、文字色を赤等に変更する処理を行う）。
【０１２９】
ステップＳＴ４６において、制御部４５は、決定操作キー１５の下方向を選択するキーが操作されたかどうかを判断する。決定操作キー１５の下方向を選択するキーが操作されたと判断した場合（Ｙｅｓ）には、ステップＳＴ４７に進み、決定操作キー１５の下方向を選択するキーが操作されていないと判断した場合（Ｎｏ）には、ステップＳＴ４８に進む。
【０１３０】
ステップＳＴ４７において、制御部４５は、表示形式を変更する単語をエディタアプリに取り込む処理を行う。具体的には、制御部４５は、図９（ｂ）に示すように、作成中の文書の続きに、テキスト情報の色変更部分の文字列を取り込む処理を行う。
【０１３１】
ステップＳＴ４８において、制御部４５は、決定操作キー１５の右方向を選択するキーが操作されたかどうかを判断する。決定操作キー１５の右方向を選択するキーが操作されたと判断した場合（Ｙｅｓ）には、ステップＳＴ４９に進み、決定操作キー１５の右方向を選択するキーが操作されていないと判断した場合（Ｎｏ）には、キーの入力操作の受け付け処理を継続する。
【０１３２】
ステップＳＴ４９において、制御部４５は、ピクトインフォメーションの文節を変更する処理を行う。具体的には、制御部４５は、図９（ｃ）に示すように、色変更部分を「木場騎手」から「木場騎手落馬事故」に変更する。
【０１３３】
＜第４の実施例＞
つぎに、制御部４５による第４の実施例について説明する。第４の実施例では、ピクトインフォメーション領域１０３にスクロール表示されているテキスト情報と、使用者が入力した文字を関連付けてキーワードを生成し、当該キーワードをクエリとして（つまり、検索ワードとして）インターネット等に接続して、検索を実行する場合の処理について説明する。
【０１３４】
制御部４５は、待受画面１００の表示中であって、ピクトインフォメーション領域１０３に所定のテキスト情報（例えば、「木場騎手落馬事故・・・」）がスクロール表示されている場合において（図１１（ａ）に示す実施例では、「木場騎手」が色変更されて表示される）、操作部１１のキーが操作されて、エディタアプリが起動した場合（例えば、図１１（ｂ）に示すように、複数のキーが操作されて、文字列「プロフ」への変換がされた場合）、第１表示領域１０１に「ａｎｄ検索」と「ｏｒ検索」を表示させる（図１１（ｃ））。なお、制御部４５は、「ａｎｄ検索」と「ｏｒ検索」を第３表示領域１０４に変換候補の一つとして表示しても良い。
【０１３５】
ここで、制御部４５は、使用者による所定の操作によって、「ａｎｄ検索」が選択されたことを検知した場合には、ピクトインフォメーション領域１０３に色変更しているテキスト情報（本実施例では、「木場騎手」）と、使用者が入力した文字列（本実施例では、「プロフ」）を関連付けてキーワードを生成し、当該キーワードをクエリ（本実施例では、「木場騎手」ａｎｄ「プロフ」）としてインターネット等に接続して、ａｎｄ検索を実行する。
制御部４５は、図１１（ｄ）に示すように、検索結果をＬＣＤ表示部２１に表示させる。
【０１３６】
このようにして、携帯電話装置１は、インターネットに接続するためのアプリケーション（ブラウザ）を起動して、所定の検索ページを閲覧し、当該検索ページの検索窓にクエルを入力するような一連の操作を省略し、かつ、クエリの入力キーワードもピクトインフォメーション領域１０３に表示されている文字列を利用するので、簡易かつ便利にインターネット検索を行うことができる。
【０１３７】
ここで、上述したインターネット検索する場合の処理の流れについて、図１２に示すフローチャートを参照して説明する。
ステップＳＴ５１において、制御部４５は、操作部１１を構成するキーの入力操作を検知した場合、エディタアプリを起動するための処理を行う。
【０１３８】
ステップＳＴ５２において、制御部４５は、ピクトインフォメーションデータの取り込み処理を行う。
【０１３９】
ステップＳＴ５３において、制御部４５は、ピクトインフォメーションデータに対して、単語分割処理（例えば、形態素解析による分析処理）を行う。
【０１４０】
ステップＳＴ５４において、制御部４５は、ピクトインフォメーションデータの表示処理を行う。具体的には、制御部４５は、ピクトインフォメーションデータをピクトインフォメーション領域１０３にスクロール表示を行う。
【０１４１】
ステップＳＴ５５において、制御部４５は、ピクトインフォメーションデータ内の特定語句の表示形式に対して変更処理を行う。具体的には、制御部４５は、ピクトインフォメーションデータの内容が「木場騎手落馬事故・・・」の場合には、「木場騎手」を特定語句として、「落馬事故・・・」とは異なる表示形式に変更する処理を行う（例えば、反転する処理を行ったり、文字色を赤等に変更する処理を行う）。
【０１４２】
ステップＳＴ５６において、制御部４５は、エディタアプリへの語句（キーワード）の入力処理を行う。具体的には、制御部４５は、複数のキーが操作が行われ、文字列「ぷろふ」が入力され、その後所定の変換の操作（例えば、第３表示領域１０４に表示されている変換候補の中から一の文字列を選択する等の操作）が行われ、片仮名「プロフ」を確定する。
【０１４３】
ステップＳＴ５７において、制御部４５は、第１表示領域１０１に「ａｎｄ検索」と「ｏｒ検索」を表示し、使用者により「ａｎｄ検索」が選択されたかどうか判断する。「ａｎｄ検索」が選択されたと判断した場合（Ｙｅｓ）には、ステップＳＴ５８に進み、「ａｎｄ検索」が選択されなかったと判断した場合（Ｎｏ）には、ステップＳＴ５９に進む。
【０１４４】
ステップＳＴ５８において、制御部４５は、使用者によって「ａｎｄ検索」が選択された場合には、ピクトインフォメーション領域１０３に色変更しているテキスト情報（本実施例では、「木場騎手」）と、使用者が入力した文字列（本実施例では、「プロフ」）を関連付けてキーワードを生成し、当該キーワードをクエリ（本実施例では、「木場騎手」ａｎｄ「プロフ」）としてインターネット等に接続して、ａｎｄ検索を実行する。
【０１４５】
また、ステップＳＴ５９において、制御部４５は、使用者により「ｏｒ検索」が選択されたかどうか判断する。「ｏｒ検索」が選択されたと判断した場合（Ｙｅｓ）には、ステップＳＴ６０に進み、「ｏｒ検索」が選択されなかったと判断した場合（Ｎｏ）には、キーの入力操作の受け付け処理を継続する。
【０１４６】
ステップＳＴ６０において、制御部４５は、使用者によって「ｏｒ検索」が選択された場合には、ピクトインフォメーション領域１０３に色変更しているテキスト情報（本実施例では、「木場騎手」）と、使用者が入力した文字列（本実施例では、「プロフ」）を関連付けてキーワードを生成し、当該キーワードをクエリ（本実施例では、「木場騎手」ａｎｄ「プロフ」）としてインターネット等に接続して、ｏｒ検索を実行する。
【０１４７】
ステップＳＴ６１において、制御部４５は、ステップＳＴ５８又はステップＳＴ６０の工程において検索した結果を取得する。
ステップＳＴ６２において、制御部４５は、ステップＳＴ６１の工程で取得した結果をＬＣＤ表示部２１に表示させる。なお、制御部４５は、インターネット検索の検索結果をピクトインフォメーション領域１０３にスクロール表示させても良い。
【０１４８】
このようにして、携帯電話装置１は、インターネットに接続するためのアプリケーション（ブラウザ）を起動して、所定の検索ページを閲覧し、当該検索ページの検索窓にクエルを入力するような一連の操作を省略し、かつ、クエリの入力キーワードもピクトインフォメーション領域１０３に表示されている文字列を利用するので、簡易かつ便利にインターネット検索を行うことができる。
【符号の説明】
【０１４９】
１  携帯電話装置
１１  操作部
１４  入力操作キー
２１  ＬＣＤ表示部
４２  ＬＣＤ制御部
４５  制御部
５０  通信部
１０１  第１表示領域
１０２  第２表示領域
１０３  ピクトインフォメーション領域
１０４  第３表示領域
【図１】
2011209967.tif 000003
【図２】
2011209967.tif 000004
【図３】
2011209967.tif 000005
【図４】
2011209967.tif 000006
【図５】
2011209967.tif 000007
【図６】
2011209967.tif 000008
【図７】
2011209967.tif 000009
【図８】
2011209967.tif 000010
【図９】
2011209967.tif 000011
【図１０】
2011209967.tif 000012
【図１１】
2011209967.tif 000013
【図１２】
2011209967.tif 000014
【手続補正書】
【提出日】平成22年9月10日(2010.9.10)
【手続補正１】
【補正対象書類名】明細書
【補正対象項目名】０００２
【補正方法】変更
【補正の内容】
【０００２】
携帯電子機器は、各種の情報を表示する表示部と、複数のキーにより構成されている操作部を備えている。ここで、携帯電子機器では、着信を待ち受けるときやその他のアプリケーションの起動を待ち受けるときには、表示部に待受画面が表示される。この待受画面が表示されている状態において、数字が割り当てられている操作キーが押下されると、当該押下された操作キーに対応する数字を表示部に表示する。そして、携帯電子機器は、表示部に所定の数字列（例えば、「０３」で始まる１０桁の数字列）が表示されている状態において、オフフックキーが押下された場合には、入力されている数字列に基づいた電話発信処理を行う（例えば、特許文献１を参照）。
【手続補正２】
【補正対象書類名】明細書
【補正対象項目名】００３６
【補正方法】変更
【補正の内容】
【００３６】
また、制御部４５は、第１表示領域１０１に「いた」を表示し、第２表示領域１０２に「１１４」を表示している状態において、変換機能が操作された場合（例えば、決定操作キー１５の上下キーが操作された場合）、第１表示領域１０１に表示されている「いた」に対して変換処理を行う。また、制御部４５は、第１表示領域１０１に「いた」を表示し、第２表示領域１０２に「１１４」を表示している状態において、発信の操作がされた場合（例えば、入力操作キー１４のオフフックボタンが選択された場合）、第２表示領域１０２に表示されている「１１４」を電話番号として発信処理を行う。
【手続補正３】
【補正対象書類名】明細書
【補正対象項目名】００６２
【補正方法】変更
【補正の内容】
【００６２】
また、制御部４５は、第１表示領域１０１に文字を表示させ、第２表示領域１０２に数字を表示させている状態において、文字の変換の操作が行われた場合（例えば、決定操作キー１５の上下キーが操作された場合）には、第１表示領域１０１に表示させている文字の入力であると判定して、第１表示領域１０１に表示させている文字に対して変換処理を行う。また、制御部４５は、電話の発信の操作が行われた場合（例えば、入力操作キー１４のオフフックボタンが選択された場合）には、第２表示領域１０２に表示させている数字の入力であると判定して、第２表示領域１０２に表示させている数字を電話番号として発信処理を行う構成が好ましい。